(57)【要約】【課題】  マウス機能を有し、使用上の便利性が向上した携帯電話を提供する事【解決手段】  スクリーンには台座が連結してあり、前記台座には受信板が設けてあり、且つ前記台座には任意方向へ摺動可能な摺動ブロックが設けてあり、前記摺動ブロックの上端には係止用凸部が設けてあり、前記台座に対応して制御パネルが設けてあり、前記制御パネルの底面には、台座にある受信板と対応する信号源が設けてあり、台座にある摺動ブロックの係止用凸部と対応し互いに係止可能な係止用凹部が設けてあることを特徴とするマウス機能付き携帯電話。【選択図】  図１
0003109882.tif 000002
【実用新案登録請求の範囲】
【請求項１】
スクリーンに台座を連結し、
前記台座には受信板を設け、
前記台座には任意方向へ摺動可能な摺動ブロックを設け、
前記摺動ブロックの上端には係止用凸部を設け、
前記台座に対応して制御パネルを設け、
前記制御パネルの底面には、台座にある受信板と対応する信号源を設け、
台座にある摺動ブロックの係止用凸部と対応し互いに係止可能な係止用凹部を設けたことを特徴とする、
マウス機能付き携帯電話。
【請求項２】
前記制御パネルは、台座に対して相対旋回し、受信板を露出可能に構成したことを特徴とする、
請求項１に記載のマウス機能付き携帯電話。
【請求項３】
前記受信板はタッチパネルであることを特徴とする、
請求項１に記載のマウス機能付き携帯電話。
【請求項４】
前記受信板は押圧式パネルであることを特徴とする、
請求項１に記載のマウス機能付き携帯電話。
【請求項５】
前記受信板は磁気感応式パネルであることを特徴とする、
請求項１に記載のマウス機能付き携帯電話。
【請求項６】
前記受信板は感熱式パネルであることを特徴とする、
請求項１に記載のマウス機能付き携帯電話。
【請求項７】
前記受信板は光学感応式パネルであることを特徴とする、
請求項１に記載のマウス機能付き携帯電話。
【考案の詳細な説明】
【技術分野】
【０００１】
本考案はマウス機能付き携帯電話に係り、特に携帯電話の制御パネルが台座上で任意方向へ摺動でき、且つ制御パネルの底面にある信号源と、台座にある受信板とを同時に採用することにより、マウス機能を有し、使用上の便利性が向上するマウス機能付き携帯電話に関するものである。
【背景技術】
【０００２】
科学技術の進展に伴って、通信技術も盛んに発展し、特に携帯電話の研究開発は、室内で室内電話を使用し室外では公衆電話を使用する常識が破れて、電信電話会社の無線発信ベースの発信範囲内で携帯電話を使用すれば、他人と通信することが可能になった。
使用上の便利性が極めて高いので、携帯電話は人々に愛用され、一人で一台以上の携帯電話を持つことも珍しくない。
【０００３】
携帯電話は汎用な通信装置になり、携帯電話の制御方式の開発も日新月歩である。例えば上下左右の方向ボタンを利用して制御する又はタッチパネルなどにより携帯電話を制御することにより、使用者は携帯電話の機能を利用する。
【考案の開示】
【考案が解決しようとする課題】
【０００４】
しかしながら、上記の各種類の携帯電話の制御方式により使用者は携帯電話の強い機能に対応して利用できるが、携帯電話の機能がより向上している現在では、目下の制御方式が携帯電話の新しい機能に十分に対応できなくなり、更に携帯電話はインターネットと接続する機能を持つので、方向ボタン又はタッチパネルだけの使用では、操作が不便であり、携帯電話の機能の開発にも悪影響を与える。
【課題を解決するための手段】
【０００５】
上記欠点を解決するためになされた本願の第一考案は、スクリーンに台座を連結し、前記台座には受信板を設け、前記台座には任意方向へ摺動可能な摺動ブロックを設け、前記摺動ブロックの上端には係止用凸部を設け、前記台座に対応して制御パネルを設け、前記制御パネルの底面には、台座にある受信板と対応する信号源を設け、台座にある摺動ブロックの係止用凸部と対応し互いに係止可能な係止用凹部を設けたことを特徴とする、マウス機能付き携帯電話であることを要旨としている。
【０００６】
本願の第二考案では、前記制御パネルは、受信板を露出して使用者が指で入力するために、台座に対して相対旋回することが可能であることを特徴とする本願の第一考案に記載のマウス機能付き携帯電話であることを要旨としている。
【０００７】
本願の第三考案では、前記受信板はタッチパネルであることを特徴とする本願の第一考案に記載のマウス機能付き携帯電話であることを要旨としている。
【０００８】
本願の第四考案では、前記受信板は押圧式パネルであることを特徴とする本願の第一考案に記載のマウス機能付き携帯電話であることを要旨としている。
【０００９】
本願の第五考案では、前記受信板は磁気感応式パネルであることを特徴とする本願の第一考案に記載のマウス機能付き携帯電話であることを要旨としている。
【００１０】
本願の第六考案では、前記受信板は感熱式パネルであることを特徴とする本願の第一考案に記載のマウス機能付き携帯電話であることを要旨としている。
【００１１】
本願の第七考案では、前記受信板は光学感応式パネルであることを特徴とする本願の第一考案に記載のマウス機能付き携帯電話であることを要旨としている。
【考案の効果】
【００１２】
本考案に係るマウス機能付き携帯電話によれば、携帯電話の制御パネルが台座で任意方向へ摺動でき、且つ制御パネルの底面にある信号源と、台座にある受信板とを同時に採用することにより、マウス機能を有し、使用上の便利性が向上し、携帯電話がインターネットと接続するときにマウス機能を使用できるので、携帯電話の操作性がより優れたものとなり、携帯電話機能の開発可能性も広がる。
【考案を実施するための最良の形態】
【００１３】
以下、添付図面を参照して本考案の好適な実施の形態を詳細に説明する。
【００１４】
まず、図１を参照する。本考案に係るマウス機能付き携帯電話は、スクリーン１には台座２が連結してあり、前記台座２には受信板２１が設けてあり、前記受信板２１はタッチパネルや押圧式パネルや磁気感応式パネルや感熱式パネルや光学感応式パネルなどであり、且つ前記台座２には任意方向へ摺動可能な摺動ブロック２２が設けてあり、前記摺動ブロック２２の上端には係止用凸部２２１が設けてあり、なお、前記台座２に対応して制御パネル３が設けてあり、前記制御パネル３の底面には、台座２にある受信板２１と対応する信号源３１が設けてあり、台座２にある摺動ブロック２２の係止用凸部２２１と対応し互いに係止可能な係止用凹部３２が設けてある。
【００１５】
制御パネル３は係止用凹部３２で台座２にある摺動ブロック２２の係止用凸部２２１と互いに係止し結合し、図２に示すように、制御パネル３を操作するときには、制御パネル３が台座２で摺動ブロック２２を駆動して摺動ブロック２２が任意方向へ摺動し、且つ制御パネル３の底面にある信号源３１も台座２にある受信板２１で摺動することにより受信板２１が信号を接収し、これにより、携帯電話がマウス機能を持つようになる。
また、図３に示すように、台座２で制御パネル３を上から下へ旋回して受信板２１を露出することも可能である。受信板２１を露出した場合には、使用者が指で受信板２１に直接触れる事によって入力可能となる。
【図面の簡単な説明】
【００１６】
【図１】本考案の分解斜視図である。
【図２】本考案の使用状態を示す概略図である。
【図３】本考案の他の使用状態を示す概略図である。
【符号の説明】
【００１７】
１        スクリーン
２        台座
２１      受信板
２２      摺動ブロック
２２１    係止用凸部
３        制御パネル
３１      信号源
３２      係止用凹部
【図１】
0003109882.tif 000003
【図２】
0003109882.tif 000004
【図３】
0003109882.tif 000005